(57)【要約】【課題】  中綿式筆記具であって、インクの使い終わりでない途中でもインク残量が分かる筆記具を提供する。【解決手段】  インク収容部内の中綿にインクを含浸させ、そのインクを筆記体のペン先に供給するようにした筆記具において、  インク収容部には、中綿の後方に空間部を形成し、該空間部にインクの残量に応じて位置が変化するインク残量表示部を設け、このインク残量表示部が筆記具外部から視認可能である筆記具。【選択図】図１
2014050978.tif 000002
【特許請求の範囲】
【請求項１】
インク収容部内の中綿にインクを含浸させ、そのインクを筆記体のペン先に供給するようにした筆記具において、
インク収容部には、中綿の後方に空間部を形成し、該空間部にインクの残量に応じて位置が変化するインク残量表示部を設け、このインク残量表示部が筆記具外部から視認可能であることを特徴とする筆記具。
【請求項２】
インクの消費に伴い、インク残量表示部である追従体が筆記体のペン先方向側に移動するようにしたことを特徴とする請求項１に記載の筆記具。
【請求項３】
インク収容部内の中綿の先方に空間が形成されており、筆記体のペン先にキャップを装着したときに、この中綿の先方の空間とキャップ内の空間と中綿の後方の空間部とが連通するようにしたことを特徴とする請求項１または２に記載の筆記具。
【請求項４】
キャップの解放と共に筆記体のペン先が先方に移動して、中綿の先方の空間が外部に対して遮断されると共に、中綿の後方の空間部は外部に連通する状態であることを特徴とする請求項３に記載の筆記具。
【発明の詳細な説明】
【技術分野】
【０００１】
本発明はインク残量を視認可能とした中綿式の筆記具に関する。
【背景技術】
【０００２】
従来、インク収容部内に備えた中綿にインクを含浸させた中綿式の筆記具が用いられている。
【０００３】
中綿式筆記具の利点には、中綿にインクを含浸しているので、外部環境（気温、気圧）変化の影響を受けにくく、また、低い粘度のインクを使用しても直流防止対策用の複雑な機構を必要としないことがある。
【０００４】
中綿式筆記具でもインク残量が視認によって分かるようにしたものに、例えば、特開２００４−４２２６２号公報（：特許文献１）がある。この特許文献１に記載の筆記具は、筆記具外部から視認可能なインク誘導管を介してインク吸蔵体からペン先にインクを供給するものである。
【０００５】
しかしながら、この筆記具では、インクの完全な消費がインク誘導管内のインク無しの視認によって分かるが、消費途中でどの程度インク残量があるかが確認できないものであった。
【０００６】
なお、特開２００８−２６５２０３号公報（：特許文献２）では、インク収容管内にインクを直接充填し、インク後端部に追従体を備えた筆記具が開示されているが、この筆記具では、中綿を使用せずにインクが収容管内に直接充填されているものに過ぎない。
【０００７】
以上から、従来、中綿式筆記具において、インク残量が使用途中でインクを使い終わりでなくても視認によって分かるものは、未提案であった。
【先行技術文献】
【特許文献】
【０００８】
【特許文献１】特開２００４−４２２６２号公報
【特許文献２】特開２００８−２６５２０３号公報
【発明の概要】
【発明が解決しようとする課題】
【０００９】
本発明は、斯かる実情に鑑み、中綿式筆記具であって、インクの使い終わりでない途中でもインク残量が分かる筆記具を提供するものである。
【課題を解決するための手段】
【００１０】
本発明は、インク収容部内の中綿にインクを含浸させ、そのインクを筆記体のペン先に供給するようにした筆記具において、
インク収容部には、中綿の後方に空間部を形成し、該空間部にインクの残量に応じて位置が変化するインク残量表示部を設け、このインク残量表示部が筆記具外部から視認可能であることを特徴とする筆記具である。
【００１１】
本発明において、インクの消費に伴い、インク残量表示部である追従体が筆記体のペン先方向側に移動するようにしたことが好適である。
【００１２】
また、本発明において、インク収容部内の中綿の先方に空間が形成されており、筆記体のペン先にキャップを装着したときに、この中綿の先方の空間とキャップ内の空間と中綿の後方の空間部とが連通するようにしたことが好適である。
【００１３】
本発明において、キャップの解放と共に筆記体のペン先が先方に移動して、中綿の先方の空間が外部に対して遮断されると共に、中綿の後方の空間部は外部に連通する状態であることが好適である。
【発明の効果】
【００１４】
本発明の筆記具によれば、インク収容部には、中綿の後方に空間部を形成し、該空間部にインクの残量に応じて位置が変化するインク残量表示部を設け、このインク残量表示部が筆記具外部から視認可能であるので、筆記使用によってインクが減ってくるのをインク残量表示部で使用者は容易に視認できるという優れた効果を奏し得る。
【図面の簡単な説明】
【００１５】
【図１】本発明の実施形態に係る筆記具の説明図であって、（ａ）がキャップ装着時、（ｂ）がキャップの解放時、（ｃ）インク消費時の各説明図である。
【図２】キャップ解放時の筆記具の先端の拡大図を含む説明図である。
【発明を実施するための形態】
【００１６】
以下、本発明の実施形態について、添付図面を参照して説明する。
【００１７】
図１、図２は実施形態に係る筆記具の説明図である。
実施形態に係る筆記具は、図１、図２に示すように、インク収容部（インクタンク）１０内の中綿１２にインクを含浸させ、そのインクを筆記体１４のペン先１４ａに供給するようにした筆記具である。
【００１８】
インク収容部１０には、中綿を内装される本体１０ａとその本体１０ａ後端に後方に延びる筒部１０ｂが装着されて一体化している。該筒部１０ｂの後端は解放し、該筒部１０ｂ内の空間が中綿１２の後方の空間部１６として形成している。該筒部１０ｂ内に空間部１６には、インクの残量に応じて位置が変化するインク残量表示部１８を設け、このインク残量表示部１８が筆記具の外軸２０外部から視認可能である。
【００１９】
具体的には、外軸２０と筒部１０ｂとを通してインク残量表示部１８が外部から視認可能なように外軸２０と筒部１０ｂとが透明または半透明な樹脂製であり、インクの消費に伴い、インク残量表示部１８が筆記体１４のペン先１４ａ方向側に移動するようにしたものである。インク残量表示部１８は、例えば樹脂、ゴム、エラストマー等の固形の棒状体を芯材としたグリース等の流動体からなる追従体が先後に移動可能とするものである。外部から視認可能であれば無色でもよいが、残量の視認性を向上させるためにも着色した方が望ましい。また、インク残量表示部１８は、ゴム、エラストマーのゴム弾性材料の栓体、グリース等の流動体のみとしてもよい。
【００２０】
また、インク収容部１０内の中綿１２の先方に空間２４が形成されている。筆記体１４のペン先１４ａを覆ってキャップ２２を装着したときに、この中綿１２の先方の空間２４とキャップ２２内の空間と中綿１２の後方の空間部１６とが連通する構造となっている。
【００２１】
詳しくは、筆記具には、外周構造の外軸２０内に筒状の本体１０ａに中綿の有るインク収容部１０が配置され、該インク収容部１０は外軸２０内配置のスプリング２６で先方に向けて弾発されている。インク収容部１０の後部の筒部１０ｂに段部が形成され、スプリング２６が筒部１０ｂ外周に配置されその段部にスプリング２６が係止して、インク収容部１０全体が先方に弾発されている。
【００２２】
インク収容部１０は、先端の保持部２８によって継手３０を介して筆記体１４が先方に固着されている。保持部２８は継手３０を包むように保持している。筆記体１４は、棒状のインク導通部材であり、継手３０の中央に軸方向に挿通して固定されている。筆記体１４には、材質が天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工又はこれらの繊維束を樹脂加工した繊維芯、または、各種のプラスチック粉末などを焼結したポーラス体（焼結芯）などから構成されるものである。また、形状としては、例えば、先端の丸まった略円柱形状、円柱形状の先端側両側面をナイフカット状としたペン芯であることが好ましい。
【００２３】
また、インク収容部１０は、図２に示すように、先端の保持部２８に先方に開口した通気孔２８ａが形成され、この通気孔２８ａが中綿１２の前方の空間２４に連通している。
【００２４】
外軸２０の先端部は内側に曲がった係止部２０ａが形成されている。
【００２５】
キャップ２２には、外筒と内筒がある。筆記具にキャップ２２をしたときには、図１（ａ）に示すように、外筒が外軸２０先端外部に嵌着し、内筒が継手３０を介してインク収容部１０をスプリング２６の弾発力に抗して後方向きに押しており、通気孔２８ａが開き中綿前の空間２４がキャップ２２内空間に連通している。
【００２６】
一方、キャップを外したいときには、図１（ｂ）に示すように、スプリング２６によって先方に付勢されたインク収容部１０の先端部が前記係止部２０ａに当接すると通気孔２８ａが閉じる構成になっている。
【００２７】
また、外軸２０の係止部２０ａには、連通孔２０ｂが形成されている。また、この連通孔２０ｂから、外軸２０とインク収容部１０との間に隙間が連通し、この隙間は後方の筒部１０ｂの後端にまで連続している。インク収容部１０が先方に前進して通気孔２８ａが係止部２０ａに当接して塞がれている状態でも、連通孔２０ｂは塞がれずに連通孔２０ｂが外軸２０とインク収容部１０との間の隙間を通してインク収容部１０の後方の筒部１０ｂの後端の連通している。
【００２８】
筆記体１４のペン先１４ａにキャップ２２を装着しているときに、図１（ａ）に示すように、インク収容部１０がキャップ２２に押されて後退し通気孔２８ａが開放しており、したがって、筆記体１４を覆った状態のキャップ２２内部の空間とインク収容部１０内の中綿１２の先方の空間２４とが連通し、さらに、中綿１２先方の空間が隙間を経由して中綿１２の後方の空間部１６とが連通している。
【００２９】
一方、図１（ｂ）や図２に示すように、キャップ２２の解放と共に筆記体１４のペン先１４ａが先方に移動して、中綿１２の先方の空間２４が外部に対して遮断されると共に、中綿１２の後方の空間部１６外部に連通する状態である。
【００３０】
そして、上記筆記具を筆記使用することによって、図１（ｃ）に示すように、中綿１２内のインクが減少していき、インク収容部１０内の内圧が下がり、その内圧よりもインク残量表示部１８後方の空間に加わる外気圧が高くなるので、インク残量表示部１８が先方に移動して内外の気圧が平衡する。
【００３１】
このようにインク使用によってインク残量表示部１８が先方に移動して、インク残量が外部からの視認によって使用者に分かるようになっている。
【００３２】
また、温度変化による内圧上昇によっても、キャップ２２の装着によって、筆記体１４を覆った状態のキャップ２２内部の空間とインク収容部１０内の中綿１２の先方の空間２４とが連通し、さらに、中綿１２先方の空間が隙間を経由して中綿１２の後方の空間部１６とが連通し、インク残量表示部１８の前後で圧力は平衡状態を保つ為、インク残量表示部１８の移動を防止できる。
【００３３】
また、ドバ落ち防止のため、キャップ２２解放時にインク収容部１０と外気部両方からから空気が排出されるようにし、最終的にはインク収容部１０を封止する。
【産業上の利用可能性】
【００３４】
本発明の筆記具は、低粘度のインクを中綿に含浸させの中綿式筆記具に利用することができる。
【符号の説明】
【００３５】
１０  インク収容部
１２  中綿
１４  筆記体
１４ａ  ペン先
１６  空間部
１８  インク残量表示部
２０  外軸
２２  キャップ
２４  中綿の先方の空間
２６  スプリング
２８  保持部
２８ａ  通気孔
３０  継手
【図１】
2014050978.tif 000003
【図２】
2014050978.tif 000004